(57)【要約】【課題】ロッド部の回転時に破損することがなく、ロッド部を所定の方向に確実に回転させることができるロッドアンテナを提供する。【解決手段】第１支点部２０において第２ロッド部２２を回転させる場合には、第１ロッド部１８を構成する外側筒状部１８Ａの先端部がガイド部２６の湾曲面上と接触しその上を滑るとともに第１ロッド部１８を構成する内側筒状部１８Ｂが外側筒状部１８Ａから引き出される。これにより、内側筒状部１８Ｂを外側筒状部１８Ａから完全に引き出されていない状態でも、第２ロッド部２２を破損させることなく、容易かつ確実に所定の方向に回転させることができる。【選択図】      図３
2006319627.tif 000002
【特許請求の範囲】
【請求項１】
ロッド部を有し前記ロッド部を所定の方向に回転させる支点部を備えたロッドアンテナであって、
外側筒状部と、前記外側筒状部の内部に収容され又は前記外側筒状部から引き出される内側筒状部と、を有し、
前記内側筒状部には、前記ロッド部と接続されるとともに前記ロッド部を所定の方向に回転させる支点部が設けられ、
前記支点部の近傍には、前記内側筒状部の少なくとも一部が前記外側筒状部から引き出された状態において、前記支点部における前記ロッド部の所定方向への回転を可能にするガイド部が設けられていることを特徴とするロッドアンテナ。
【請求項２】
前記ガイド部は、前記支点部における前記ロッド部の回転時に、前記外側筒状部の先端が滑るとともに前記内側筒状部を前記外側筒状部から引き出す湾曲部であることを特徴とする請求項１に記載のロッドアンテナ。
【請求項３】
複数のロッド部を有し前記ロッド部を所定の方向に回転させる複数の支点部を備えたロッドアンテナであって、
外側筒状部と、前記外側筒状部の内部に収容され又は前記外側筒状部から引き出される内側筒状部と、を有する第１ロッド部を有し、
前記内側筒状部には、第２ロッド部と接続されるとともに前記第２ロッド部を所定の方向に回転させる第１支点部が設けられ、
前記第１支点部の近傍には、前記内側筒状部の少なくとも一部が前記外側筒状部から引き出された状態において、前記第１支点部における前記第２ロッド部の所定方向への回転を可能にするガイド部が設けられていることを特徴とするロッドアンテナ。
【請求項４】
前記ガイド部は、前記第１支点部における前記第２ロッド部の回転時に、前記外側筒状部の先端部が滑るとともに前記内側筒状部を前記外側筒状部から引き出す湾曲部であることを特徴とする請求項３に記載のロッドアンテナ。
【請求項５】
前記内側筒状部が前記外側筒状部の内部に完全に収容された状態では前記第１支点部における前記第２ロッド部の回転を阻止する回転阻止部が設けられていることを特徴とする請求項３又は４に記載のロッドアンテナ。
【発明の詳細な説明】
【技術分野】
【０００１】
本発明は、例えば無線通信機器などの電子機器に用いられるロッドアンテナに関する。
【背景技術】
【０００２】
従来から無線通信機器などの電子機器には、伸縮式のロッドアンテナが用いられている。電子機器の使用時にはロッドアンテナを伸ばすとともに、電子機器の不使用時にはロッドアンテナを縮めることによりロッドアンテナをコンパクトに収容することができる。
【０００３】
ところで、上記ロッドアンテナが比較的限られたスペースに配置されるカーナビゲーションなどの電子機器に用いられる場合には、ロッドアンテナをそのまま伸ばすと自動車のフロントガラスなどに接触し、ロッドアンテナを十分に伸ばすことができなくなる。このため、ロッドアンテナを構成する各ロッド部を接続する支点部を複数設け、各支点部で各ロッド部を所定の方向に回転することができるものが知られている。この構成によれば、支点部を複数設けることにより、ロッドアンテナの回転方向の自由度を増加させることができるため、特に比較的限られたスペースに配置されるカーナビゲーションなどの電子機器に用いることができる。
【特許文献１】特開平９−２４６８２４号公報
【発明の開示】
【発明が解決しようとする課題】
【０００４】
しかしながら、ロッド部として外側筒状部とこの外側筒状部に収納され又は外側筒状部から引き出される内側筒状部とを有し、この内側筒状部に他のロッド部と接続される支点部が設けられたロッドアンテナでは、内側筒状部が外側筒状部から十分（完全）に引き出されない状態で支点部において他のロッド部を回転させると、曲げ応力が集中する応力集中部位でロッドアンテナが折れてしまう問題がある。一方、内側筒状部が外側筒状部から十分（完全）に引き出された状態で支点部において他のロッド部を回転させようとすると、回転させようとするロッド部と接続した支点部ではなく、別の支点部でロッドアンテナが回転してしまい、ロッドアンテナを所定の方向に確実に回転させることができなくなるという問題も生じる。
【０００５】
そこで、本発明は、上記事情を考慮し、ロッド部の回転時に破損することがなく、ロッド部を所定の方向に確実に回転させることができるロッドアンテナを提供することを目的とする。
【課題を解決するための手段】
【０００６】
請求項１に記載の発明は、ロッド部を有し前記ロッド部を所定の方向に回転させる支点部を備えたロッドアンテナであって、外側筒状部と、前記外側筒状部の内部に収容され又は前記外側筒状部から引き出される内側筒状部と、を有し、前記内側筒状部には、前記ロッド部と接続されるとともに前記ロッド部を所定の方向に回転させる支点部が設けられ、前記支点部の近傍には、前記内側筒状部の少なくとも一部が前記外側筒状部から引き出された状態において、前記支点部における前記ロッド部の所定方向への回転を可能にするガイド部が設けられていることを特徴とする。
【０００７】
請求項１に記載の発明によれば、支点部の近傍にはガイド部が設けられているため、内側筒状部の少なくとも一部が外側筒状部から引き出された状態において、ロッド部を破損させることなく支点部でロッド部を所定方向へ確実に回転させることができる。
【０００８】
請求項２に記載の発明は、請求項１に記載のロッドアンテナにおいて、前記ガイド部は、前記支点部における前記ロッド部の回転時に、前記外側筒状部の先端が滑るとともに前記内側筒状部を前記外側筒状部から引き出す湾曲部であることを特徴とする。
【０００９】
請求項２に記載の発明によれば、支点部におけるロッド部の回転時には、外側筒状部の先端部が湾曲部と接触し湾曲部上を滑るとともに内側筒状部が外側筒状部から引き出される。これにより、内側筒状部を外側筒状部から完全に引き出された状態でない場合でも、ロッド部を破損させることなく容易に所定の方向に回転させることができる。
【００１０】
請求項３に記載の発明は、複数のロッド部を有し前記ロッド部を所定の方向に回転させる複数の支点部を備えたロッドアンテナであって、外側筒状部と、前記外側筒状部の内部に収容され又は前記外側筒状部から引き出される内側筒状部と、を有する第１ロッド部を有し、前記内側筒状部には、第２ロッド部と接続されるとともに前記第２ロッド部を所定の方向に回転させる第１支点部が設けられ、前記第１支点部の近傍には、前記内側筒状部の少なくとも一部が前記外側筒状部から引き出された状態において、前記第１支点部における前記第２ロッド部の所定方向への回転を可能にするガイド部が設けられていることを特徴とする。
【００１１】
請求項３に記載の発明によれば、第１支点部の近傍にはガイド部が設けられているため、内側筒状部の少なくとも一部が外側筒状部から引き出された状態において、第２ロッド部を破損させることなく第１支点部で第２ロッド部を所定方向へ確実に回転させることができる。
【００１２】
請求項４に記載の発明は、請求項３に記載のロッドアンテナにおいて、前記ガイド部は、前記第１支点部における前記第２ロッド部の回転時に、前記外側筒状部の先端部が滑るとともに前記内側筒状部を前記外側筒状部から引き出す湾曲部であることを特徴とする。
【００１３】
請求項４に記載の発明によれば、第１支点部における第２ロッド部の回転時には、外側筒状部の先端部が湾曲部と接触し湾曲部上を滑るとともに内側筒状部が外側筒状部から引き出される。これにより、内側筒状部を外側筒状部から完全に引き出された状態でない場合でも、第２ロッド部を破損させることなく容易に所定の方向に回転させることができる。
【００１４】
請求項５に記載の発明は、請求項３又は４に記載のロッドアンテナにおいて、前記内側筒状部が前記外側筒状部の内部に完全に収容された状態では、前記第１支点部における前記第２ロッド部の回転を阻止する回転阻止部が設けられていることを特徴とする。
【００１５】
請求項５に記載の発明によれば、内側筒状部が外側筒状部の内部に完全に収容された状態では第１支点部における第２ロッド部の回転が回転阻止部により阻止されるため、第１支点部以外の支点部と接続するロッド部のみを所定の方向へ回転させることができる。これにより、支点部及びロッド部を複数有する構成でも、所定のロッド部を所定の支点部において確実に回転させることができる。
【発明の効果】
【００１６】
本発明によれば、ロッド部の回転時に破損することがなく、ロッド部を所定の方向に確実に回転させることができる。
【発明を実施するための最良の形態】
【００１７】
次に、本発明の一実施形態に係るロッドアンテナについて、図面を参照して説明する。
【００１８】
図１乃至図３に示すように、ロッドアンテナ１０は、例えばカーナビゲーションなどの電子機器（図示省略）に取り付けるための取付板１２を備えている。この取付板１２は、ボルトなどにより電子機器に取り付けられる。また、取付板１２には、所定の方向に延在する軸部１４が取り付けられている。この軸部１４の先端部には、軸部側支点部（支点部）１６が形成されている。この軸部側支点部１６は、所定の距離だけ離間した一対の支持片１６Ａと、支持片１６Ａ間に取り付けられた回転軸１６Ｂと、で構成されている。
【００１９】
また、回転軸１６Ｂには、第１ロッド部（ロッド部）１８が接続されている。この第１ロッド部１８は、外側筒状部１８Ａと、外側筒状部１８Ａの内側に収容され又は外側筒状部１８Ａの内側から引き出される内側筒状部１８Ｂと、を有している。この外側筒状部１８Ａには貫通孔（図示省略）を備えた挿入片１９が一体形成されており、この挿入片１９が一対の支持片１６Ａの間に挿入されるとともにその貫通孔に回転軸１６Ｂが貫通されている。これにより、第１ロッド部１８は、軸部側支点部１６において回転軸１６Ｂの外周回りを回転することができるようになっている。また、内側筒状部１８Ｂが外側筒状部１８Ａの内部に完全に収容された状態では、後述の第１支点部２０が外側筒状部１８Ａに完全に隠れてしまうように構成されている。
【００２０】
また、第１ロッド部１８を構成する内側筒状部１８Ｂの先端部には、第１支点部（支点部）２０が形成されている。この第１支点部２０は、軸部側支点部１６と同様に、所定の距離だけ離間した一対の支持片２０Ａと、支持片２０Ａ間に取り付けられた回転軸２０Ｂと、で構成されている。
【００２１】
また、回転軸２０Ｂには、第２ロッド部（ロッド部）２２が接続されている。この第２ロッド部２２は、外側筒状部２２Ａと、外側筒状部２２Ａの内側に収容され又は外側筒状部２２Ａの内側から引き出される複数の内側筒状部２２Ｂと、を有している。この外側筒状部２２Ａには第１ロッド部１８を構成する外側筒状部１８Ａの内周面に挿入される縮径部（回転阻止部）２４が形成されている。また、この縮径部２４には貫通孔（図示省略）を備えたガイド部２６が一体形成されている。このガイド部２６に形成された貫通孔には回転軸２０Ｂが貫通されている。このガイド部２６は内側に凹むように湾曲状（Ｒ状）に形成されており、第２ロッド部２２を所定の方向に回転させるときにガイド部２６の湾曲面に第１ロッド部１８を構成する外側筒状部１８Ａの先端部が接触するとともにこの湾曲面上を滑るようになっている。このガイド部２６は、第２ロッド部２２を回転させることが可能な方向（本実施形態では２箇所）にそれぞれ形成されている。
【００２２】
ここで、上記ガイド部２６は、第１ロッド部１８を構成する内側筒状部１８Ｂの少なくとも一部が第１ロッド部１８を構成する外側筒状部１８Ａから引き出された状態（縮径部２４が外側筒状部１８Ａの内周面に挿入されていない状態）において、第１支点部２０における第２ロッド部２２の所定方向（図３中矢印Ｂ方向）への回転を可能にすることができる。詳細には、ガイド部２６は、第１ロッド部１８を構成する内側筒状部１８Ｂの少なくとも一部が第１ロッド部１８を構成する外側筒状部１８Ａから引き出された状態（縮径部２４が外側筒状部１８Ａの内周面に挿入されていない状態）において、第１支点部２０における第２ロッド部２２の回転時に、外側筒状部１８Ａの先端部がガイド部２６の湾曲面上を滑るとともに内側筒状部１８Ｂを外側筒状部１８Ａから引き出す機能を有している。また、内側筒状部１８Ｂが外側筒状部１８Ａの内部に完全に収容された状態（縮径部２４が外側筒状部１８Ａの内周面に挿入された状態）では、外側筒状部１８Ａの先端部が縮径部２４に接触するため、第１支点部２０における第２ロッド部２２の所定方向への回転が阻止される。
【００２３】
次に、本実施形態のロッドアンテナ１０の作用について説明する。
【００２４】
図１に示すように、ロッドアンテナ１０が完全に縮められた状態では、内側筒状部１８Ｂが外側筒状部１８Ａの内側に収容されている。この状態では、内側筒状部１８Ｂに形成されている第１支点部２０も外側筒状部１８Ａの内側に位置しており、外側筒状部２２Ａに形成された縮径部２４が外側筒状部１８Ａの内周面に挿入されている。この縮径部２４が外側筒状部１８Ａの内周面に挿入されている状態では、外側筒状部１８Ａの先端部が縮径部２４に接触しているため、第１支点部２０における第２ロッド部２２の回転が阻止される。この結果、第２ロッド部２２に所定方向の圧力を作用させると、第１支点部２０ではなく軸部側支点部１６において、第２ロッド部２２が第１ロッド部１８と共に所定の方向に回転させられる。このように、支点部及びロッド部を複数有する構成でも、所定のロッド部を所定の支点部において確実に回転させることができる。
【００２５】
一方、第１支点部２０において第２ロッド部２２を所定の方向に回転させる場合には、図３に示すように、内側筒状部１８Ｂの少なくとも一部が外側筒状部１８Ａから引き出されるように、内側筒状部１８Ｂを図３中矢印Ａ方向に移動させる。この状態では、縮径部２４が外側筒状部１８Ａの内周面に挿入されておらず、外側筒状部１８Ａの先端部が縮径部２４に接触していない。このとき、第２ロッド部２２に所定方向（図３中矢印Ｂ方向）の圧力を作用させると、第１支点部２０における第２ロッド部２２の回転時に、外側筒状部１８Ａの先端部がガイド部２６の湾曲面上を滑るとともに内側筒状部１８Ｂが外側筒状部１８Ａから引き出される。これにより、第１支点部２０において第２ロッド部２２のみを所定の方向（図３中矢印Ｂ方向）に回転させることができる。この結果、内側筒状部１８Ｂを外側筒状部１８Ａから完全に引き出されていない状態でも、第２ロッド部２２を破損させることなく容易に所定の方向に回転させることができる。
【００２６】
なお、図２に示すように、内側筒状部１８Ｂを外側筒状部１８Ａから完全に引き出すことにより、ロッドアンテナ１０を伸びきった状態にすることができる。
【図面の簡単な説明】
【００２７】
【図１】本発明の一実施形態に係るロッドアンテナが完全に縮んだ状態の外観図である。
【図２】本発明の一実施形態に係るロッドアンテナが完全に伸びた状態の外観図である。
【図３】本発明の一実施形態に係るロッドアンテナを構成する第２ロッド部が第１支点部において回転するときの要部拡大図である。
【符号の説明】
【００２８】
１０    ロッドアンテナ
１８    第１ロッド部（ロッド部）
１８Ａ  外側筒状部
１８Ｂ  内側筒状部
２０    第１支点部（支点部）
２２    第２ロッド部（ロッド部）
２４    縮径部（回転阻止部）
２６    ガイド部（湾曲部）
【図１】
2006319627.tif 000003
【図２】
2006319627.tif 000004
【図３】
2006319627.tif 000005